(57)【要約】【課題】  配管の保持固定を容易に行うことができ、配管の取り出しも容易にかつ見栄え良く行うことができ、配管の増設にも対応が可能な配管化粧カバーを提供する。【解決手段】  天井に敷設される配管１４の入隅部を覆う配管化粧カバー１１であって、天井下面に取り付けられる配管保持用基板２１とカバー部材３１とを有し、配管保持用基板は、入隅部の天井面に固着される基板部２２と、基板部の下面に突設した複数の配管ホルダ２３ａ，２３ｂと、基板部周囲から垂下した係合片２４とを有し、カバー部材は、基板部に対応した形状のカバー本体３２と、カバー本体周囲の各辺から突出した側板３３と、側板の突出端に設けられた係合部３４とを有し、カバー本体の入隅部に配管の一部を入隅部の壁面に沿って下方に取り出す配管取出口３５を設けている。【選択図】  図１
2006070539.tif 000002
【特許請求の範囲】
【請求項１】
天井の入隅部を通して敷設される配管を覆うための配管化粧カバーであって、天井下面に取り付けられる配管保持用基板と、該配管保持用基板の室内側を覆うように配管保持用基板の下部に着脱可能に取り付けられるカバー部材とを有し、前記配管保持用基板は、隣接する二辺を入隅部の壁面に沿わせた状態で天井面に固着される基板部と、該基板部の下面に突設して配管を前記壁面に沿う方向に保持する複数の配管ホルダと、配管延設方向を除く基板部周囲の各辺からそれぞれ垂下した係合片とを有し、前記カバー部材は、前記基板部に対応した形状を有するカバー本体と、配管延設方向を除くカバー本体周囲の各辺から上方に突出した側板と、該側板の突出端に設けられて前記係合片に係合する係合部とを有するとともに、前記カバー本体の入隅部に配管の一部を入隅部の壁面に沿って下方に取り出すための配管取出口を設け、該配管取出口の下方に、該配管取出口から取り出した配管の上部周囲を覆うカバー部を設けたことを特徴とする配管化粧カバー。
【発明の詳細な説明】
【技術分野】
【０００１】
本発明は、配管化粧カバーに関し、詳しくは、天井の周辺部に沿って敷設される配管を入隅部の壁面に沿って下方に取り出す部分の天井部に設ける配管化粧カバーに関する。
【背景技術】
【０００２】
既設住宅に給水、給湯配管を新たに設置する場合、従来は天井裏や床下に設置するようにしていたが、大掛かりな工事を必要とするため、近年は、天井の隅部や壁面の上部に配管を敷設するとともに、配管の周囲を化粧カバーで覆うことにより、工事の簡略化と見栄えの向上とを図ることが行われている。
【０００３】
（例えば、特許文献１参照。）。
【特許文献１】特開平１０−６０９６２号公報
【発明の開示】
【発明が解決しようとする課題】
【０００４】
しかし、従来の配管化粧カバーは、配管の固定とは別に化粧カバーを木ねじ等で壁面や天井面に取り付けるようにしているため、工事が二度手間になっている。また、途中から配管を取り出す場合には、現場合わせで化粧カバーを切断したり、接続したりしていたため、手間が掛かり、その部分の見栄えが悪くなるという問題もあった。また、その後の配管の増設には対応することができなかった。
【０００５】
そこで本発明は、配管の保持固定を容易に行うことができ、配管の取り出しも容易にかつ見栄え良く行うことができ、配管の増設にも対応が可能な配管化粧カバーを提供することを目的としている。
【課題を解決するための手段】
【０００６】
上記目的を達成するため、本発明の配管化粧カバーは、天井の入隅部を通して敷設される配管を覆うための配管化粧カバーであって、天井下面に取り付けられる配管保持用基板と、該配管保持用基板の室内側を覆うように配管保持用基板の下部に着脱可能に取り付けられるカバー部材とを有し、前記配管保持用基板は、隣接する二辺を入隅部の壁面に沿わせた状態で天井面に固着される基板部と、該基板部の下面に突設して配管を前記壁面に沿う方向に保持する複数の配管ホルダと、配管延設方向を除く基板部周囲の各辺からそれぞれ垂下した係合片とを有し、前記カバー部材は、前記基板部に対応した形状を有するカバー本体と、配管延設方向を除くカバー本体周囲の各辺から上方に突出した側板と、該側板の突出端に設けられて前記係合片に係合する係合部とを有するとともに、前記カバー本体の入隅部に配管の一部を入隅部の壁面に沿って下方に取り出すための配管取出口を設け、該配管取出口の下方に、該配管取出口から取り出した配管の上部周囲を覆うカバー部を設けたことを特徴としている。
【発明の効果】
【０００７】
本発明の配管化粧カバーは、配管保持用基板を天井の入隅部にねじやボルト等で固定しておき、配管ホルダに所定の配管を保持させた後、配管保持用基板にカバー部材を係合させることにより、天井入隅部に敷設された配管の外側を見栄え良く覆うことができる。また、配管の取り出しは、配管取出口から簡単に行うことができる。さらに、その後の配管を増設する必要が生じたときにも、配管ホルダを余分に設けておくことにより、カバー部材を配管保持用基板から取り外すことによって容易に行うことができる。
【発明を実施するための最良の形態】
【０００８】
図は本発明の配管化粧カバーの一形態例を示すもので、図１は配管化粧カバーの取付状態を示す正面図、図２は同じく底面図、図３は配管保持用基板の底面図、図４は同じく正面図、図５はカバー部材の底面図、図６は同じく正面図、図７は同じく右側面図である。
【０００９】
この配管化粧カバー１１は、天井面１２の入隅部に壁面１３に沿うようにして天井面１２に固定される配管保持用基板２１と、この配管保持用基板２１に着脱可能に取り付けられるカバー部材３１とで形成されている。
【００１０】
配管保持用基板２１は、隣接する二辺２２ａ，２２ｂを入隅部の壁面１３に沿わせた状態で天井面に固着される基板部２２と、該基板部２２の下面に突設した配管ホルダ２３ａ，２３ｂと、該基板部２２の配管延設方向の開口部形成辺２２ｃ，２２ｄを除く基板部周囲の各辺からそれぞれ垂下した係合片２４とを有している。基板部２２には、天井面１２に基板部２２を固着するためのネジやボルト２５を挿通するための通孔２６が複数箇所に設けられている。
【００１１】
配管ホルダ２３ａ，２３ｂは、一対の円弧状保持部２３ｃ，２３ｃの凹部を対向させて下部が開口したリング状に形成したものであって、円弧状保持部２３ｃ，２３ｃの弾性変形を利用して下部開口から配管１４を挿入し、円弧状保持部２３ｃ，２３ｃの弾性によって配管１４を保持できるようにしている。この配管ホルダ２３ａ，２３ｂは、基板部２２の前記開口部形成辺２２ｃ，２２ｄの近傍に、該辺２２ｃ，２２ｄに平行な方向に複数個が併設されており、一方の配管ホルダ２３ａは、入隅部の一方の壁面に沿う方向に配管１４を保持し、他方の配管ホルダ２３ｂは、他方の壁面に沿う方向に配管１４を保持するように設けられている。
【００１２】
両配管ホルダ２３ａ，２３ｂにそれぞれ保持された配管１４は、一方の配管ホルダ２３ａから他方の配管ホルダ２３ｂに向かって緩やかな円弧を描いて保持される状態となる。また、係合片２４は、各辺から垂下した小突片の基板部内側面に複数の係合溝２４ａを有している。
【００１３】
カバー部材３１は、平面視が配管保持用基板２１の基板部２２と略同形に形成されたカバー本体３２と、配管延設方向の開口部形成辺３２ｃ，３２ｄを除くを除くカバー本体周囲の各辺から上方に、配管１４を十分に覆える高さに突出した側板３３と、該側板３３の突出端に設けられた係合部３４とを有している。
【００１４】
また、カバー本体３２の入隅部には、配管化粧カバー１１内を通る配管の一部を入隅部の壁面に沿って下方に取り出すための配管取出口３５が設けられている。この配管取出口３５の下方には、配管取出口３５から取り出した配管の上部周囲を覆うためのカバー部３６が設けられており、カバー部３６の上端部は、カバー本体３２に向かう滑らかな円弧面３６ａで形成されている。
【００１５】
側板３３は、その外側面が前記係合片２４の内側に挿入可能な状態で設けられており、前記係合部３４は、側板３３の突出端を係合片２４の内側に挿入したときに、前記係合溝２４ａに係合する突条により形成されている。
【００１６】
このように形成した配管化粧カバー１１を使用して天井部分に配管１４を敷設するには、まず、天井面１２の入隅部に、二辺２２ａ，２２ｂを壁面１３に沿わせた状態で、配管保持用基板２１をネジやボルト２５で天井面１２に固着する。次に、入隅部を通過する配管１４を円弧状保持部２３ｃ，２３ｃ間に挿入し、両配管ホルダ２３ａ，２３ｂによって各配管１４を円弧状に保持するとともに、この入隅部で下方に取り出す配管１４ａを一方の配管ホルダ２３ａに保持させた状態とする。
【００１７】
そして、配管取出口３５に配管１４ａを通した状態でカバー部材３１を下方から配管保持用基板２１に押し付け、側板３３の突出端を係合片２４の内側に挿入し、係合片２４の係合溝２４ａに係合部３４を係合させてカバー部材３１を配管保持用基板２１の下部に装着し、配管１４，１４ａを配管化粧カバー１１内に収納した状態とする。
【００１８】
また、配管化粧カバー１１の両側配管延長方向には、両開口部に対応した直線状の配管化粧カバーを連設し、下方に取り出した配管１４ａは、配管接続先の機器に接続し、必要に応じて適宜な化粧カバーにより配管１４ａを覆うようにする。これにより、天井の周辺部に沿って敷設される配管１４を配管化粧カバー１１によって覆うことができ、外観も良好なものとすることができる。
【００１９】
さらに、配管ホルダ２３ａ，２３ｂを、予備を含めて多少多めに設けておくことにより、配管１４の増設も容易に行うことができる。すなわち、側板３３の上方を内側に押圧することにより、室内側に位置する係合溝２４ａと係合部３４との係合状態を解除できるので、配管保持用基板２１からカバー部材３１を簡単に取り外すことができる。
【００２０】
そして、増設する配管を空いている配管ホルダ２３ａ，２３ｂに保持させた後、カバー部材３１を配管保持用基板２１に取り付けることにより、増設した配管も配管化粧カバー１１内に収納することができる。また、下方に取り出す配管の増設も同様にして行うことができ、配管の撤去も同様にして行うことができる。
【００２１】
上述のように、配管化粧カバー１１内への配管１４の敷設は、配管１４を配管ホルダ２３ａ，２３ｂに挿入するだけでよく、簡単な作業で配管１４の保持固定を行うことができる。また、配管を下方に取り出すときにも、カバー部材３１にあらかじめ配管取出口３５が設けてあるので、簡単にかつ見栄えよく配管を入隅部に沿って取り出すことができる。さらに、カバー部材３１を簡単に取り外すことができるので、配管の増設等も容易に行うことができる。
【図面の簡単な説明】
【００２２】
【図１】本発明の一形態例を示す配管化粧カバーの取付状態を示す正面図である。
【図２】同じく底面図である。
【図３】配管保持用基板の底面図である。
【図４】同じく正面図である。
【図５】カバー部材の底面図である。
【図６】同じく正面図である。
【図７】同じく右側面図である。
【符号の説明】
【００２３】
１１…配管化粧カバー、１２…天井面、１３…壁面、１４，１４ａ…配管、２１…配管保持用基板、２２…基板部、２３ａ，２３ｂ…配管ホルダ、２４…係合片、２６…通孔、３１…カバー部材、３２…カバー本体、３３…側板、３４…係合部、３５…配管取出口、３６…カバー部
【図１】
2006070539.tif 000003
【図２】
2006070539.tif 000004
【図３】
2006070539.tif 000005
【図４】
2006070539.tif 000006
【図５】
2006070539.tif 000007
【図６】
2006070539.tif 000008
【図７】
2006070539.tif 000009